(57)【要約】      （修正有）【課題】金属切削用の刃物など、重量の大きい工作道具を収納するに適したスチール棚とスチールワゴンとを提供する。【解決手段】スライドレールとして内側レールと外側レールとの間に鋼球が介在して両レール間の摺動が容易にされているものを用い、棚板を棚枠の対向する２つの側面から引き出せるようにし、棚板にスライドレールと平行に延びるシャフトを回転可能に付設し、棚枠にシャフトと並んで平行に延びる固定板を付設し、シャフトにバネを付設してシャフトに付設された係止片が固定板に向かって常に押圧されているようにし、固定板の中央部と両端とにそれぞれ突起を付設し、係止片が突起に衝突して棚板が棚板の中心位置に納まり、また棚板の引き出しが制限されるようにする。スチールワゴンはスチール棚の棚枠の下面にキャスターを付設した。【選択図】図４
0003116711.tif 000002
【実用新案登録請求の範囲】
【請求項１】
直方体状の棚枠と、棚枠内に収容されている直角四辺形の棚板との間にスライドレールを付設して、棚板を棚枠内で移動可能としたスチール棚において、スライドレールとして外側レール内で内側レールが鋼球を介して接触して摺動可能とされている機構のものを用い、棚板を棚枠の対向する２つの側面から引き出せるようにし、棚板にはスライドレールと平行に延びるシャフトを回転可能に付設し、シャフトの長さ方向の中央部に係止片を突設し、棚枠にはシャフトと並んで平行に延びる固定板を設け、固定板の長さ方向の中央部と両端にそれぞれ突起を付設し、シャフトにバネを付設してバネがシャフトを回転させて係止片を突起に向かって押すように付勢しており、係止片が突起の側面に衝突して棚板の移動を抑えることを特徴とするスチール棚。
【請求項２】
固定板の中央部に付設された突起を対向する一組の突起とし、その間に係止片を入れるだけの隙間を存在させ、突起の向き合う内側側面を固定板に対し直立させ、突起の外側へ向く側面をゆるやかな傾斜面とすることを特徴とする、請求項１に記載のスチール棚。
【請求項３】
固定板の中央部の両側に付設された突起を何れも１個の突起で構成し、固定板の中央部に向かう各突起の側面を固定板に対し直立した面とし、固定板の端へ向かう各突起の側面をなだらかな傾斜面としたことを特徴とする、請求項１又は２に記載のスチール棚。
【請求項４】
棚板を直角四辺形の浅い箱状にし、箱内に工具立てを入れ、工具立てを断面がコの字状のトンネル状体で構成し、コの字の中央面に孔をあけ孔内に合成樹脂製の円筒を嵌めて工具立てとし、工具の長手方向をスライドレールの延びる方向と垂直に向けて棚板内に敷き詰めることを特徴とする、請求項１−３の何れか１つの項に記載のスチール棚。
【請求項５】
棚枠の下面の四隅にそれぞれキャスターを付設してスチール棚を移動可能としたことを特徴とする、請求項１−４の何れか１つの項に記載のスチールワゴン。
【考案の詳細な説明】
【技術分野】
【０００１】
この考案は、スチール棚及びワゴンに関するものである。とくにこの考案は、金属切削用刃物などの重量の大きい工作用道具類を収納する棚及びワゴンに関するものである。このような道具類を収納するスチール棚は、一般にラックと呼ばれている。
【背景技術】
【０００２】
スチール棚は、棚枠と棚板とで構成されている。棚枠はスチールの板を折曲して直方体状の箱又は枠としたものであり、棚板はスチールの板を折曲して直角四辺形の浅い箱又は板としたものである。スチール棚では、棚枠内に通常複数箇の棚板が水平に設置されている。各棚板はその上に物品を載せることができるようにされている。
【０００３】
棚板上に物品を載せる際には、棚板を棚枠から引き出せるようにすることが好ましい。同様に、棚板上に載せてある物品を取り出す際にも、棚板を棚枠から引き出せるようにすることが好ましい。このため、スチール棚では物品を載せた状態で棚板を引き出し又は押し込むことができるように、棚板を移動可能にすることが試みられている。
【０００４】
特開平１０−１１７８６０号公報は、棚板を棚枠に対して移動可能とした収納台を記載している。この記載によれば、棚板を移動可能にするためには、複数箇のスライドレールを平行に付設することが必要だとされ、そこではスライドレールを内側レール、中間レール及び外側レールで構成することとし、各レールを互いに摺動可能に係合させている。とくに、この記載では各レール同士、例えば内側レール同士を連結具で連結してコの字状の一体物とした上で、同じくコの字状に連結した中間レール及び外側レールと係合させている。このスライドレールは、内側レールを棚板に固定し、外側レールを棚枠に固定して、内側レールを外側レール内で摺動可能として、棚板を棚枠に対して移動できるようにしている。
【０００５】
また、特開平８−１９４３１号公報も、同様に、棚板を棚枠内で移動可能とした装置を記載している。その装置は、棚板がわでは棚板の両側に内側レールを付設し、棚枠がわには外側レールを付設し、内側レールと外側レールとを係合させ、両レール間の摺動により棚板を移動可能にしている。この公報は、さらに内側レールの長さ方向の端にストッパーを付設して、ストッパーをスプリングで突出させるとともに、外側レールに孔をあけておき、ストッパーを孔内に進入させて、棚板の移動を一時的に停止させることを提案している。
【０００６】
そのほか、図１に示したような構造のスライドラックが販売されている。その構造は、レール受けＡを棚枠に固定し、レール受けＡの下部にローラーＢを付設し、ローラーＢ上を棚板Ｃが摺動するようにしている。棚板Ｃの側面にシャフトＤを付設し、シャフトＤはハンドルＥによって回転可能にされている。シャフトＤには係止具Ｆが付設され、係止具Ｆは重量の大きいものとされているので、シャフトＤは係止具Ｆがレール受けＡに常に接触した状態に維持される。従って、棚板Ｃは係止具Ｆがレール受けＡ上に付設された突起Ｇに衝突して移動を停止する。しかし、シャフトＤを回転させると、係止具Ｆが持ち上げられるので、係止具Ｆと突起Ｇとの衝突が解除され、棚板Ｃは矢印Ｈの方向へ移動できることとなる。こうして棚板の飛び出しを一時的に抑えている。
【０００７】
これらの棚では、棚板の引き出せる側は、棚の一側面だけとされた。すなわち、特開平１０−１１７８６０号公報は押入れ又はクローゼットを対象とし、また特開平８−１９４３１号公報は、米収納庫における炊飯器やＯＡ機器のキーボードを載せるトレーを対象にしているから、何れも正面がわに引き出せれば足り、従って一側面だけに引き出せる構造とされてきた。また、これらの棚は載せる物品が軽いから、内側レールと外側レールとが係合していれば足り、その間の摩擦を少なくすることをとくに考える必要がなかった。また、棚自体が安定しているから、棚板を大きく引き出しても棚自体が倒れるおそれがなく、従ってストッパーを付設する必要がないか、又はストッパーを付設するとしても、ストッパーは内側レールが外側レールから外れることを防げば足りた。従って、ストッパーは棚板の引き出しを途中で止めるものではなかった。従ってまた、重量が大きい物品を収納するに適していなかった。
【考案の開示】
【考案が解決しようとする課題】
【０００８】
この考案は、金属切削用の刃物などの重量の大きい工作道具を収納するに適し、また工作道具を取り出して使用するに便利なスチール棚を提供しようとするものである。また、この考案はこのようなスチール棚の下端にキャスターを付設して、スチール棚をスチールワゴンとして提供するものである。
【課題を解決するための手段】
【０００９】
この考案者は、工作道具を収納するに適し、またこれを取り出して使用するのに便利なスチール棚においては、スライドレールのうち、とくに摺動摩擦の小さいスライドレールを選んで用いる必要があり、また棚板の引き出し距離を厳重に制限する必要があり、このため棚板を対向する２つの側面から引き出せるようにする必要があり、且つ棚板の収納時には棚板が棚枠の中心に確実に納まっているようにすることが必要であることに気付いた。
【００１０】
このため、この考案では、スライドレールとして、内側レールと外側レールとが幅方向の両側で接触し、その接触面には鋼球が介在して鋼球の転がり摩擦によって、両レールが摺動する機構のものを選んで用いることとした。
【００１１】
また、工作道具は重量の大きいものであるから、これを載せた棚板を僅かに引き出しただけでも棚の重心は大きく移動することになるので、棚が倒れるおそれがあり、従って棚板はこれを棚枠から大きく引き出すことができない。そこで、この考案では、棚板を棚の互いに向き合う２つの側面から引き出せるようにした。
【００１２】
また、上述のように、棚板が棚枠から大きく飛び出すと、棚が転倒するおそれがあるので、棚板の飛び出しは厳重に制限する必要がある。そのため、この考案では、棚板にスライドレールと平行に延びるシャフトを回転可能に付設し、シャフトには係止片を付設し、棚枠にはシャフトと並んで平行に延びる固定板を付設し、この固定板に突起を付設し、係止片を突起に衝突させて棚板の飛び出しを抑えることとした。
【００１３】
さらに工具収納時には、棚板が棚枠の中心に収納されていて、多少の震動がスチール棚に加えられても、スチール棚が転倒するおそれのないようにすることが必要である。そのため、この考案では、棚板が棚枠の中心に位置するとき、シャフトの係止片が固定板の突起に衝突して棚板の移動を防ぐこととした。
【００１４】
さらに、この考案では、シャフトにバネを付設し、バネがシャフトを回転させてシャフトに付設された係止片が突起の付設された固定板に向かって常に押されているようにして、係止片が突起の側面に衝突することにより棚板の移動を抑えるようにした。この衝突は、シャフトに付設されたハンドルの回動によって簡単に解除できるようにした。
【００１５】
こうしてこの考案は、直方体状の棚枠と、棚枠内に収容されている直角四辺形の棚板との間にスライドレールを付設して、棚板を棚枠内で移動可能としたスチール棚において、スライドレールとして外側レール内で内側レールが鋼球を介して接触して摺動可能とされている機構のものを用い、棚板を棚枠の対向する２つの側面から引き出せるようにし、棚板にはスライドレールと平行に延びるシャフトを回転可能に付設し、シャフトの長さ方向の中央部に係止片を突設し、棚枠にはシャフトと並んで平行に延びる固定板を付設し、固定板の長さ方向の中央部と両端にそれぞれ突起を付設し、シャフトにバネを付設してバネがシャフトを回転させて係止片を突起に向かって押すように付勢しており、係止片が突起の側面に衝突して棚板の移動を抑えることを特徴とする、スチール棚を提供するものである。
【００１６】
また、この考案は、上述のようなスチール棚の下面の四隅にそれぞれキャスターを付設してスチール棚を移動可能としたことを特徴とするスチールワゴンを提供するものである。
【考案の効果】
【００１７】
この考案では、スライドレールとして外側レール内で内側レールが鋼球を介して接触して摺動可能とされた機構のものを用いるから、鋼球を用いないものに比べると、摺動時の抵抗が著しく軽減されており、従って、工具のような重量物を載せても小さな力で棚板を移動させることができる。
【００１８】
また、棚板を棚枠の対向する２つの側面から引き出せるようにしたので、一側に収納されている工具を近い方の側面から取り出せることとなり、従って工具の取り出しが容易であるとともに、棚板を大きく引き出す必要がないから、棚枠を転倒させる危険がない。
【００１９】
また、棚板にはスライドレールと平行に延びるシャフトを回転可能に付設し、シャフトの長さ方向の中央部に係止片を突設し、棚枠にはシャフトと並んで平行に延びる固定板を付設し、固定板に突起を付設したので、係止片を突起に衝突させて棚板の移動を確実に抑えることができ、またシャフトを回転させて係止片と突起との衝突を解除して、棚板を容易に移動させることができる。
【００２０】
また、シャフトにバネを付設し、バネがシャフトを回転させて係止片を突起に向かって押すように付勢しているので、係止片が突起の側面に衝突した状態はバネによって維持されることとなり、従って棚板の移動は確実に停止される。
【００２１】
さらに、シャフトの中央部に係止片を設け、固定板の中央部に突起を設けたので、棚板が棚枠の中心に位置しているときは、この突起と係止片との衝突によって、棚板の移動を確実に抑えることができる。同様に、固定板の両側にも突起を設けたので、この突起と係止片との衝突により棚板の過度の引き出しを確実に抑えることができる。これによってスチール棚の転倒を抑えることができる。
【００２２】
また、固定板の中央部に付設された突起を対向する一組の突起とし、その間に係止片を入れるだけの隙間を存在させることとすれば、棚板が棚枠の中心に位置するときには係止片がこの一組の突起に挟まれて動き得ない状態となるので、棚板は確実に棚枠の中心に保持される。また、この一組の突起の外側へ向く側面をゆるやかな傾斜面とすれば、係止片はバネに抗して傾斜面を乗り越えることができるので、シャフトを回転させないで棚板を棚枠内へ押し込むことができる。
【００２３】
また、固定板の両端にそれぞれ１個の突起を付設し、それら突起の中央部に向かう側面を固定板に対し直立した面とし、また各突起の端がわの側面をなだらかな傾斜面とすれば、棚板を或る程度引き出したときに、係止片が各突起の直立した面に衝突するので、棚板の引き出しを抑えることができ、逆に棚板を押し込むときは係止片がバネに抗してなだらかな傾斜面を乗り越えることができるので、そのまま押し込むことができる。
【００２４】
また、この考案に係るワゴンは重量の大きい工具を収納した状態で必要な場所へ容易に運ぶことができ、その場所で２つの側面のどの側面からも工具を容易に取り出すことができるので便利である。
【００２５】
この考案は、このような効果をもたらすものである。
【考案を実施するための最良の形態】
【００２６】
この考案の実施の一例を図面に基づいて説明すると、次のとおりである。図２は、この考案に係るスチール棚の斜視図である。図３は、この考案で用いるスライドレールの一部切欠斜視図である。図４は、この考案に係るスチール棚の一部切欠斜視図である。図５は、この考案で用いるシャフトと固定板との関係を示した説明図である。図６は、この考案に係るスチール棚において、棚板内に置かれる工具立ての一部切欠斜視図である。図７は、この考案に係るスチール棚の下端にキャスターを付設してなるスチールワゴンの斜視図である。
【００２７】
この考案に係るスチール棚は、図２に示したように、直方体状の棚枠１と、棚枠１内に収容されている直角四辺形の棚板２、３とで構成されている。棚板２は板状のものであるが、棚板３は浅い箱状にされている。図２では明確でないが、棚枠１と棚板２又は３との間には、図３に示したスライドレール４が付設されて、棚板２及び３は、棚枠１内で移動可能とされている。
【００２８】
スライドレール４は、図３に示したように、外側レール４１内で内側レール４２が鋼球４３を介して接触して摺動できるようになっている。鋼球４３を介在させているために、外側レール４１の幅方向の両端が内側へ湾曲されており、内側レール４２の幅方向の両端が外側へ湾曲されている。鋼球４３は、これら２つの対向する湾曲部内に収容されている。内側レール４２と外側レール４１とは鋼球４３を介して密接し、ガタつくことのない状態に保たれている。このため、内側レール４２は外側レール４１内で僅かな力で摺動できる状態となっている。
【００２９】
なおスライドレール４では内側レール４２が外側レール４１から外れることを防ぐとともに、鋼球４３が湾曲部から脱出するのを防ぐために、外側レール４１と内側レール４２とは、何れも長さ方向の両端が特異な形状にされている。例えば、図３に示したように内側レール４２では端４２１が湾曲部へ突出するように起立されている。
【００３０】
スライドレール４は外側レール４１を棚枠がわに固定し、内側レール４２を棚板がわに固定して、棚板を棚枠に対して移動可能とする。このとき内側レール４２は図４に示したように、棚板３の側面に直接固定するのが好ましいが、外側レール４１は、固定板５を介して棚枠１へ固定することが好ましい。
【００３１】
棚板には、図４に示したように、スライドレール４と平行に延びるシャフト６を付設する。そのために、図４では、浅い箱状を呈する棚板３の側面の各かどに固定金具６１が付設されている。固定金具６１には、棚板３から上へ突出した部分に孔があけられ、その孔にシャフト６が通されて、シャフト６は回動可能とされている。シャフト６の両端はＬ字状に折曲されてハンドル６２を構成している。ハンドル６２によってシャフト６は回動自在とされる。
【００３２】
固定金具６１の下部には起立片６１１が突設され、他方シャフト６には固定金具６１の外側に位置する部分に起立片６４が突設されている。起立片６４は、シャフト６に対してハンドル６２の延長方向に向かって突出している。起立片６１１と起立片６４との間には、その間を引張るバネ７が付設されている。このため、シャフト６は、図４では時計方向に回転するよう付勢される。
【００３３】
シャフト６の長さ方向の中央部には係止片６３が付設されている。係止片６３は起立片６４とほぼ平行に起立している。従って、係止片６３は固定板５に向かってバネ７により押圧されている。
【００３４】
外側レール４１が固定されている固定板５は、図４に示したように、外側レール４１を包囲して棚枠１に固定されている。従って、固定板５はシャフト６と並んでシャフト６と平行に延びている。固定板５の長さ方向の中央部と両端には、図５に示したように、突起５１、５２、５３及び５４が付設されている。従って、棚板３が移動すると、係止片６３は固定板５に沿って移動し、突起５１〜５４に接触することとなる。
【００３５】
図５に示したように、固定板５の中央部には突起５１と５２とが対をなして付設されており、その間に丁度係止片６３を入れるだけの隙間が設けられている。しかも、突起５１と５２とは、内側の互いに向き合う側面を固定板５に対して直立させており、反対側に位置する外側面を端に向かってなだらかに低くなる傾斜面としている。このため、シャフト６が突起５１及び５２に向かって移動するときは、係止片６３がバネ７に反抗してこの突起を乗り越え、その間隔内に入ることができる。ところが、係止片６３が間隔内に入ると、シャフト６を回転させない限り、係止片６３は隙間から脱出することができない。従って、棚板は棚枠の中心に安定に確実に保持される。
【００３６】
図５に示したように、固定板５の両端には突起５３と５４とが付設されている。突起５３と５４とは、何れも固定板５の中央部に向く側面が固定板５に対して直立する面となり、固定板５の端に向く面がなだらかな傾斜面となっている。従って、係止片６３は固定板５の端では突起５３又は５４によって係止され、シャフト６を回転させない限り係止を解除できない。このため棚板は棚枠から或る程度移動したところで確実に移動を停止することになる。しかし、棚板を棚枠に挿入する際には係止片６３が突起５３又は５４を乗り越えることができるので挿入は容易である。突起５３と突起５４とは、棚板３の奥行の２分の１ないし３分の２の長さだけ棚板３を引き出した位置に設けることが好ましい。
【００３７】
固定板５は、棚枠への固定を容易にするために、図５に示したように、両端に固定片５６と５７を備えている。固定片５６と５７とは、何れも棚枠に密接する端に爪状の切り込みを入れ、爪部を僅かに反らせて、爪部とその余の部分との間に係止用隙間を設けたものである。固定片５６は隙間が固定板５の長手方向に向いているが、固定片５７は隙間が固定板５の幅方向に向いている。このため、固定板５は初めに固定片５６を棚枠１の切欠１１内に挿入し、次いで固定片５７を棚枠１の切欠１２内に挿入することにより、簡単に棚枠１に固定することができる。
【００３８】
こうして、この考案に係るスチール棚は、棚板の上に物品を載せて安定した状態で物品を収納することができ、また必要なとき、適当な側面から棚板を奥行の半分ないし３分の２の長さ引き出すだけで、物品を取り出すことができ、従ってスチール棚を転倒させるおそれがなく、安全に物品を収納することができる。
【００３９】
金属切削用刃物などの工作道具を収納するときは棚板として浅い箱状のものを使用することが好ましい。なぜならば浅い箱状の棚板を使用すれば、図６に示したような長方形の工具立て８を箱内に敷き詰めて各道具を衝突させることなく収納することができるからである。
【００４０】
工具立て８は、スチール板を横断面コの字状に折曲し、コの字の中央に位置する中央面８１上に間隔をおいて複数箇の丸孔をあけ、丸孔内に合成樹脂製の円筒８２を固定したものである。合成樹脂製の円筒８２は、内面も外面も下ほど細くなって、途中に段部８２１と８２２が形成されている。段部８２１は円筒８２が中央面８１に固定されるためのものであり、段部８２２は工作道具を係止させるためのものである。
【００４１】
工具立て８は、幅方向を棚板３の移動方向に向けて棚板３内に隙間なく敷き詰められる。工作道具は刃先を上に向けて円筒８２内に起立させておくことにより安全に収納される。
【００４２】
また、上述のスチール棚は、その下面の四隅にキャスターを付設してスチールワゴンにすることができる。スチールワゴンの一例を図７に示す。
【００４３】
図７に示したスチールワゴン９は、棚枠１内に浅い箱状の棚板３をスライドレールによって移動可能に付設して作られたスチール棚の下面に、キャスター９１を付設したものである。図９では、簡単にするためにスライドレールと一部のシャフトを省略しているが、これらは当然棚板の両側に付設されている。
【００４４】
スチールワゴン９では、棚枠１にワゴンを移動させるための把手９２が付設されている。また把手９２の設けられた面の反対側に位置する面は、多数の小孔が穿設された平板９３で構成されている。この小孔は、フックを引掛けて小物を懸吊するのに使用される。
【００４５】
ワゴン９の上方の棚板は、棚板３が浅い箱状とされていることを示すために、ことさら工具立てを除いた状態にされているが、実際は、下方の棚板３と同様に、工具立て８を敷き詰めて使用される。下方の棚板３は棚枠１の一側から引き出された状態にあって、工作道具を円筒８２内に立てて保管する状態を示している。
【図面の簡単な説明】
【００４６】
【図１】従来のスチール棚の一部切欠斜視図。
【図２】この考案に係るスチール棚の斜視図。
【図３】この考案で用いるスライドレールの一部切欠斜視図。
【図４】この考案に係るスチール棚の一部切欠斜視図。
【図５】この考案で用いるシャフトと固定板との関係を示した説明図。
【図６】この考案に係るスチール棚において、棚板内に置かれる工具立ての一部切欠斜視図。
【図７】この考案に係るスチールワゴンの斜視図。
【符号の説明】
【００４７】
１                              棚枠
２、３                          棚板
４                              スライドレール
５                              固定板
６                              シャフト
７                              バネ
８                              工具立て
９                              スチールワゴン
１１、１２                      切欠
４１                            外側レール
４２                            内側レール
４３                            鋼球
４２１                          端
５１、５２、５３、５４、５５    突起
５６、５７                      固定片
６１                            固定金具
６２                            ハンドル
６３                            係止片
６４、６１１                    起立片
８１                            中央面
８２                            円筒
８２１、８２２                  段部
９１                            キャスター
９２                            把手
９３                            平板
【図１】
0003116711.tif 000003
【図２】
0003116711.tif 000004
【図３】
0003116711.tif 000005
【図４】
0003116711.tif 000006
【図５】
0003116711.tif 000007
【図６】
0003116711.tif 000008
【図７】
0003116711.tif 000009